【事件の表示】
　特願２００３−４１２９９１「ゲートドライバ、そのゲートドライバを含むモータ駆動装置，及びそのモータ駆動装置を備える機器」拒絶査定不服審判事件〔平成１６年　７月２９日出願公開，特開２００４−２１５４９３〕について，次のとおり審決する。
【結　論】
　本件審判の請求は，成り立たない。
【理　由】
１．手続の経緯
　本願は，平成１５年１２月１１日（優先権主張，平成１４年１２月２０日）の出願であって，平成２１年４月２８日付けで拒絶査定がなされ，これに対し，同年６月２５日に拒絶査定不服審判の請求がなされるとともに，同日付け手続補正書による手続補正（以下「本件補正」という。）がなされたものである。
　　
２．本件補正についての補正却下の決定
［補正却下の決定の結論］
　本件補正を却下する。
　　
［理由］
（１）補正後の本願の発明
　本件補正により，特許請求の範囲の請求項１は，
「酸化膜絶縁されたゲート電極を有するパワートランジスタを導通状態又は遮断状態にさせるゲートドライバにおいて，
前記パワートランジスタを遮断状態から導通状態へと変化させるときに第１電流値を出力して前記ゲート電極の電位を上昇させる第１電流源と，
前記パワートランジスタを導通状態から遮断状態へと変化させるときに第２電流値を出力して前記ゲート電極の電位を下降させる第２電流源と，
前記パワートランジスタの出力サイズに応じて
前記第１電流源の出力と前記第２電流源の出力とを切り替えるスイッチ制御信号が入力される端子とを有するゲートドライバ。」
と補正された。
　
　上記補正は，請求項１に記載した発明を特定するために必要な事項である「第１電流値及び第２電流値の設定を行う」態様について「パワートランジスタの出力サイズに応じて」なされるとの限定を付加するものであって，平成１８年法律第５５号改正附則第３条第１項によりなお従前の例によるとされる同法による改正前の特許法（以下，単に「改正前の特許法」という。）第１７条の２第４項第２号の特許請求の範囲の減縮を目的とするものに該当する。
　そこで，本件補正後の前記請求項１に記載された発明（以下「本願補正発明」という。）が特許出願の際独立して特許を受けることができるものであるか（改正前の特許法第１７条の２第５項において準用する同法第１２６条第５項の規定に適合するか）について以下に検討する。
　
（２）引用文献
　原査定の拒絶の理由に引用された特開平１１−２３４１０３号公報（以下「引用例」という。）には，図面とともに次の事項が記載されている。
　
　・「【０００１】
【発明の属する技術分野】本発明は，パワートランジスタに対する駆動機構に関し，この駆動機構は，パワートランジスタをターンオン動作中，ターンオフ動作中および限流動作中において制御するために用いられる。」
　
　・「【０００３】パワートランジスタには，いくつかのタイプのものがあり，最も一般的なものは，ＭＯＳＦＥＴおよびＩＧＢＴトランジスタ，バイポーラトランジスタおよびダーリントントランジスタである。本説明により開示される駆動機構の原理は，全てのタイプのパワートランジスタに適用できる・・・以下において，パワートランジスタの電極を参照する時は，ゲート，エミッタおよびコレクタという名称を用い，その場合，用語「エミッタ」は，ＭＯＳＦＥＴの文献において用いられている「ソース」という語をも含みうるものとし，また，それに対応して用語「コレクタ」は，「ドレイン」という語をも含みうるものとする。」
　
　・「【００１１】・・・例えば，ターンオフ中における電圧導関数は，どのような電流においてターンオフが行われるかに大きく依存する（電流が大きいほど，電圧導関数は大きくなる）。」
　
　・「【００１５】
【発明が解決しようとする課題】本発明は，電圧制御パワートランジスタにおけるターンオン動作またはターンオフ動作を含むスイッチング動作の改善された制御方法および装置を提供することを目的とする。」
　
　・「【００２０】この技術は，高電圧ＩＧＢＴ（１６００Ｖ又はそれ以上）を制御するために極めて適しており，その理由は，スイッチング中における，そのようなトランジスタの動態の良好な制御が，そのＳＯＡを増大させると同時に，スイッチング損失を最小化しうるからである。しかし，この技術は，また，より低い電圧のＩＧＢＴおよびＭＯＳＦＥＴトランジスタのような他のＭＯＳ制御パワートランジスタのためにも用いられうる。」
　
　・「【００２２】本発明のもう１つの特徴によれば，パワートランジスタのゲートに接続された電流源をそのコレクタ電圧によって制御することにより，電圧導関数がコレクタ電圧に依存するように制御される。コレクタ電圧を検出するために分圧器が用いられ，検出された電圧が電流源から供給される電流の値を制御するために用いられる。これは，可変電流源を含む駆動機構が最も適切なターンオフ動作を行うようにされることを意味する。例えば，もしトランジスタがそのトランジスタを含む装置に対して限流が課されている１つの場合にターンオフされれば，すなわち，そのターンオフ動作が開始される前にも，そのトランジスタに高いコレクタ電圧が存在する時は，ゲートの駆動機構は，自動的にこれを検出して，そのトランジスタを（小さい電圧導関数により）ゆっくりターンオフし，そのトランジスタを安全動作領域内に保持する。」
　
　・「【００２５】ターンオンおよびターンオフのそれぞれのために意図された電流源は，電圧制限されており，それは，そこからの電流がゲート電圧が被制御トランジスタの静的オン状態およびオフ状態のための所望値に達した時，ゼロに向かって降下することを意味する。」
　
　・「【００２７】
【発明の実施の形態】本発明のいくつかの実施例を添付図面を参照しつつ以下に説明する。本発明の１つの典型的な適用対象の分野は，図１のブリッジ接続の制御中に関するものである。この図は，２つのＩＧＢＴ（Ｔ１およびＴ２）の形式の２つのパワートランジスタと，それらの逆ダイオード（それぞれＤ２およびＤ１）とを有する従来技術のブリッジ接続を示す。・・・トランジスタＴ１およびＴ２に対する駆動機構は，それぞれ記号ＤＵ１およびＤＵ２で表されている。」
　
　・「【００２９】図５には，本発明の１つの実施例を構成する駆動機構が示されている。この図の最右端の記号Ｃ，Ｇ，Ｅは，それぞれ，この図の駆動機構により制御されるべきパワートランジスタのコレクタ，ゲートおよびエミッタに関連する。
【００３０】この例においては，エミッタＥは，駆動機構のゼロ電圧の線路に接続されている。ゲートＧは，第１電流源Ｓ１により＋１５Ｖの駆動電圧に接続されている。この第１電流源Ｓ１は，ゲートＧの接点線路１へ電流を供給するように制御される。これにより，電流源Ｓ１からの電流は，ゲートＧとエミッタＥとの間に存在するキャパシタンスを充電する。このキャパシタンスは，上述の電極間の自己キャパシタンスでありうる・・・電流源Ｓ１は，ゲート駆動制御装置（ＧＤＣ）により制御されて電流を供給すると同時に，駆動機構により制御されるパワートランジスタをターンオンし，その際，ゲートの接点線路上の電圧は上昇する。」
　
　・「【００３２】パワートランジスタのターンオフ動作をも所望されるように制御しうるためには，本発明の１つの実施例により，ゲートＧをさらに，例えば−５Ｖの駆動電圧へ導通する第２電流源Ｓ２に接続する。この第２電流源Ｓ２は，ゲートの接点線路１へ電流を供給するように制御される。その時，電流源Ｓ２は，負電流を供給し・・・
【００３３】パワートランジスタのターンオフ中においては，電流源Ｓ２は，ゲート駆動制御装置ＧＤＣにより制御されて，駆動機構により制御されるパワートランジスタのターンオフ中に電流を供給し，接点線路１上の電圧にゲート降下を生ぜしめる。このゲート降下により，電流源Ｓ２は，ゲートから電荷を引き出す。例えば，もしパワートランジスタがＩＧＢＴから成るものであれば，ゲート電圧は，トランジスタが主電極間の電圧ＶＣＥ＞＞ＶＣＥｓａｔ （ｓａｔ＝飽和）のピックアップを開始する前に，約＋１０Ｖまで降下する。」
　
　・「【００３７】少なくとも２つの方法を用いて，ゲート駆動制御装置ＧＤＣを制御することができる。・・・本発明のもう１つの実施例においては，ＲＣ回路ＲＣ１およびＲＣ２を含む広帯域分圧器が，パワートランジスタのエミッタとコレクタとの接続に並列に接続される（図６）。この時，これら２つのＲＣ回路の間の点３には，コレクタ電圧ｖＣＥを検出するための検出線路２が接続される。この場合，この検出線路の電圧は，ターンオン中およびターンオフ中のそれぞれにおいて，ゲート駆動制御装置ＧＤＣを制御して，第１および第２電流源のそれぞれからの電流を増加させることにより，上述により所望の電流導関数および電圧導関数を得るために用いられうる。ゲート駆動制御装置ＧＤＣは，第１電流源Ｓ１および第２電流源Ｓ２からの電流をコレクタ電圧ｖＣＥの所定の関数となるように制御する。」
　
　・「【００３８】ゲート駆動制御装置ＧＤＣは，２つの制御信号を供給し，その１つの制御信号ｃｓ１ は，パワートランジスタのターンオン中において電流源Ｓ１を制御するためのものであり，もう１つの制御信号ｃｓ２ は，パワートランジスタのターンオフ中において電流源Ｓ２を制御するためのものである。」
　
　・図６には，ゲート駆動制御装置ＧＤＣが，検出線路２で検出されたコレクタ電圧が入力される端子と，入力信号Ｉｎが入力される端子とを有する態様が示されている。
　
　これらの記載事項及び図示内容を総合すると，引用例には，次の発明（以下「引用発明」という。）が記載されていると認めることができる。
「ゲートＧを有するＩＧＢＴのようなパワートランジスタをオン状態又はオフ状態にさせる駆動機構において，
前記パワートランジスタをオフ状態からオン状態へと変化させるときに電流を供給して前記ゲートＧの電圧を上昇させる第１電流源Ｓ１と，
前記パワートランジスタをオン状態からオフ状態へと変化させるときに負電流を供給して前記ゲートＧの電圧を降下させる第２電流源Ｓ２と，
前記第１電流源Ｓ１と前記第２電流源Ｓ２の電流をコレクタ電圧ｖＣＥの所定の関数となるように制御するために，検出線路２で検出されたコレクタ電圧ｖＣＥが入力される端子と，
前記第１電流源Ｓ１の制御による前記パワートランジスタのスイッチオン及び前記第２電流源Ｓ２の制御による前記パワートランジスタのスイッチオフする時刻についての情報を供給する入力信号Ｉｎが入力される端子とを有する駆動機構。」
　
（３）対比
　そこで，本願補正発明と引用発明とを対比すると，その機能・作用からみて，後者における「ゲートＧを有するＩＧＢＴのようなパワートランジスタ」は前者における「酸化膜絶縁されたゲート電極を有するパワートランジスタ」に相当し，以下同様に，「オン状態」は「導通状態」に，「オフ状態」は「遮断状態」に，「駆動機構」は「ゲートドライバ」に，「電流を供給してゲートＧの電圧を上昇させる第１電流源Ｓ１」は「第１電流値を出力してゲート電極の電位を上昇させる第１電流源」に，「負電流を供給してゲートＧの電圧を降下させる第２電流源Ｓ２」は「第２電流値を出力してゲート電極の電位を下降させる第２電流源」に，それぞれ相当している。
　
　また，後者の「第１電流源Ｓ１と第２電流源Ｓ２の電流をコレクタ電圧ｖＣＥの所定の関数となるように制御する」態様は前者の「第１電流値及び第２電流値の設定を行う」態様に，後者の「検出線路２で検出されたコレクタ電圧ｖＣＥ」は前者の「少なくとも１種類の電流源制御情報」に，後者の「（コレクタ電圧ｖＣＥが入力される）端子」は前者の「設定端子」に，それぞれ相当するから，結局，後者の「第１電流源Ｓ１と第２電流源Ｓ２の電流をコレクタ電圧ｖＣＥの所定の関数となるように制御するために，検出線路２で検出されたコレクタ電圧ｖＣＥが入力される端子」と前者の「パワートランジスタの出力サイズに応じて第１電流値及び第２電流値の設定を行うために，少なくとも１種類の電流源制御情報が入力される設定端子」とは，「第１電流値及び第２電流値の設定を行うために，少なくとも１種類の電流源制御情報が入力される設定端子」との概念で共通している。
　
　さらに，後者の「第１電流源Ｓ１の制御によるパワートランジスタのスイッチオン及び第２電流源Ｓ２の制御による前記パワートランジスタのスイッチオフする時刻についての情報を供給する入力信号Ｉｎ」は前者の「第１電流源の出力と第２電流源の出力とを切り替えるスイッチ制御信号」に相当している。
　
　したがって，両者は，
「酸化膜絶縁されたゲート電極を有するパワートランジスタを導通状態又は遮断状態にさせるゲートドライバにおいて，
前記パワートランジスタを遮断状態から導通状態へと変化させるときに第１電流値を出力して前記ゲート電極の電位を上昇させる第１電流源と，
前記パワートランジスタを導通状態から遮断状態へと変化させるときに第２電流値を出力して前記ゲート電極の電位を下降させる第２電流源と，
前記第１電流値及び前記第２電流値の設定を行うために，少なくとも１種類の電流源制御情報が入力される設定端子と，
前記第１電流源の出力と前記第２電流源の出力とを切り替えるスイッチ制御信号が入力される端子とを有するゲートドライバ。」
の点で一致し，以下の点で相違している。
　
［相違点］
　第１電流値及び第２電流値の設定を行う態様に関し，本願補正発明は，「パワートランジスタの出力サイズに応じて」なされるものであるのに対し，引用発明は，かかる態様について明確にされていない点。
　
（４）判断
　上記相違点について以下検討する。
　
　引用例の【００２０】の記載を踏まえれば，引用発明のゲートドライバ（駆動機構）を，種々の出力サイズのパワートランジスタ（「高電圧ＩＧＢＴ」や「より低い電圧のＩＧＢＴ」）に適用しようとすることは，パワートランジスタのスイッチング動作を改善するという課題を解決する範囲内のものとして，当業者が適宜試みる程度の事項である。
　
　また，引用例の【００２２】の記載によれば，引用発明において，「第１電流源Ｓ１と第２電流源Ｓ２の電流をコレクタ電圧ｖＣＥの所定の関数となるように制御する」のは，第１電流源Ｓ１と第２電流源Ｓ２の電流をパワートランジスタのコレクタ電圧によって制御することにより，電圧導関数ｄｖ／ｄｔをコレクタ電圧に依存するように制御して，パワートランジスタの最も適切なスイッチング動作を得るためであると解される。
　
　さらに，パワートランジスタの出力サイズに応じて，その直流電圧やコレクタ電圧等の値を異ならせることは，パワートランジスタの分野における技術常識である。
　
　そうすると，引用発明において，パワートランジスタのスイッチング動作を改善するという課題の下で，ゲートドライバを種々の出力サイズのパワートランジスタに適用しようとする際に，上記技術常識を踏まえれば，コレクタ電圧の所定の関数に設定される第１電流値及び第２電流値（第１電流源Ｓ１と第２電流源Ｓ２の電流）を，電圧導関数ｄｖ／ｄｔが種々のパワートランジスタのコレクタ電圧に依存するように制御すること，即ち，パワートランジスタの出力サイズに応じたものとなるように設定することで，上記相違点に係る本願補正発明の構成とすることは，当業者が容易に想到し得たものというべきである。
　
　そして，本願補正発明の全体構成により奏される作用効果も，引用発明及び上記技術常識から当業者が予測し得る範囲内のものである。
　したがって，本願補正発明は，引用発明及び上記技術常識に基いて，当業者が容易に発明をすることができたものであるから，特許法第２９条第２項の規定により特許出願の際独立して特許を受けることができないものである。
　
（５）むすび
　以上のとおりであって，本件補正は，改正前の特許法第１７条の２第５項において準用する同法第１２６条第５項の規定に違反するので，同法第１５９条第１項において読み替えて準用する同法第５３条第１項の規定により却下を免れない。
　
３．本願の発明について
　本件補正は上記のとおり却下されたので，本願の請求項１に係る発明（以下，同項記載の発明を「本願発明」という。）は，平成２１年３月５日付け手続補正書の特許請求の範囲の請求項１に記載された事項により特定される，以下のとおりのものである。
「酸化膜絶縁されたゲート電極を有するパワートランジスタを導通状態又は遮断状態にさせるゲートドライバにおいて，
前記パワートランジスタを遮断状態から導通状態へと変化させるときに第１電流値を出力して前記ゲート電極の電位を上昇させる第１電流源と，
前記パワートランジスタを導通状態から遮断状態へと変化させるときに第２電流値を出力して前記ゲート電極の電位を下降させる第２電流源と，
前記第１電流値及び前記第２電流値の設定を行うために，少なくとも１種類の電流源制御情報が入力される設定端子と，
前記第１電流源の出力と前記第２電流源の出力とを切り替えるスイッチ制御信号が入力される端子とを有するゲートドライバ。」
　
（１）引用例
　原査定の拒絶の理由に引用された引用例，及び，その記載事項は，前記「２．（２）」に記載したとおりである。
　
（２）対比・判断
　本願発明は，前記「２．（１）」で検討した本願補正発明から「第１電流値及び第２電流値の設定を行う」態様について「パワートランジスタの出力サイズに応じて」なされるとの限定を省いたものである。
　
　そうすると，前記「２．（３）」での検討を踏まえれば，本願発明と引用発明とを対比した際の構成上の差異は存在しないこととなり，本願発明は引用例に記載された発明であるといわざるをえない。
　
（３）むすび
　以上のとおり，本願発明は，引用例に記載された発明であるから，特許法第２９条第１項第３号に該当するため，本願は，同法第４９条第２号の規定に該当し，拒絶をされるべきものである。
　よって，結論のとおり審決する。